(57)【要約】      （修正有）【課題】エスカレータを構成している側壁の通路壁面の清掃を効率的に行え、しかも両通路壁面間の寸法が異なったエスカレータについても適用できる清掃装置を、簡単な構成によって提供する。【解決手段】エスカレータを構成している踏板の両側に立ち上がっている側壁の通路壁面を清掃するための装置であって、ハンドル１１ａを有した支持杆１１と、この支持杆１１の両端部に対して伸縮可能に設けた左右一対の伸縮杆１２と、これら各伸縮杆１２の先端に傾動自在に設けたモップ１３とにより構成した。【選択図】図１
2007182271.tif 000002
【特許請求の範囲】
【請求項１】
エスカレータを構成している踏板の両側に立ち上がっている側壁の通路壁面を清掃するための装置であって、
ハンドルを有した支持杆と、この支持杆の両端部に対して伸縮可能に設けた左右一対の伸縮杆と、これら各伸縮杆の先端に傾動自在に設けたモップとにより構成したことを特徴とする清掃装置。
【請求項２】
前記伸縮杆の少なくともいずれか一方が、前記支持杆に対して弾発的に伸縮するようにしたことを特徴とする請求項１に記載の清掃装置。
【請求項３】
前記各モップを、前記各伸縮杆の先端に傾動自在に設けたモップ取付枠に脱着可能に取り付けたことを特徴とする請求項１または請求項２に記載の清掃装置。
【発明の詳細な説明】
【技術分野】
【０００１】
本発明は、清掃装置に関し、特にエスカレータを構成している通路壁面の清掃を行うための装置に関するものである。
【背景技術】
【０００２】
エスカレータは、不特定多数の人が利用するものであり、使用者の安全を確保する上でも、図４及び図５に示すように、多数の踏板２１の両側に側壁２２を設け、この側壁２２上を利用者が手を添えるベルト２３が踏板２１と同速度で移動するように構成してある。そして、各側壁２２の踏板２１側になる通路壁面２２ａは踏板２１上の利用者の目に触れるものであり、常に美しく保たなければならないものとなっている。
【０００３】
すなわち、エスカレータ２０を構成している踏板２１、通路壁面２２ａ、そしてベルト２３は、不特定多数の人が触れたり、荷物が触れたりして汚れ易いものであり、これらの清掃は、常時あるいは定期的に行わなければならないものである。このエスカレータ２０の各部の清掃を行うものとしては、例えば特許文献１〜４に種々なものが提案されている。
【０００４】
特許文献１には、「移動手摺の自動清掃装置に備えられる清掃具の交換頻度を少なくすることを可能とする」ことを目的として、図６及び図７に示すように、「清掃具１０を移動手摺２に選択的に当接させる作動手段、例えば清掃具移動装置５０を備え、移動手摺２の清掃に要する時間に応じてあらかじめ設定された時間のみ、清掃具１０を移動手摺２に当接させて自動的に清掃する」ための、「移動手摺の自動清掃装置」が示されている。
【０００５】
また、特許文献２には、「周囲に塵埃を飛び散らかすことなく取り外した踏段の清掃を行うことができるエスカレーターの踏段清掃具を提供する」ことを目的としてなされた「エスカレーターの踏段清掃具」が提案されており、この「エスカレーターの踏段清掃具」は、「囲いの枠を形成する折り畳み式のフレーム１０と枠組みされたフレーム１０を覆うシート１２から構成されている。フレーム１０は、その両端で各側板１４をそれぞれ直交するように連結する受け台１６と、各側板１４の両端に取り付けられ、支え２０の先端部に設けたフックを側板１４に設けた止め金に嵌合することで立設する可倒式の立柱１８とを有する」ものとしてある。
【０００６】
さらに、特許文献３には、「乗客コンベアの稼動状況により、不必要な清掃具の消耗を防止する」ことを目的としてなされた「乗客コンベアの移動手すり清掃装置」が提案されており、この移動手すり清掃装置は、「サイクル的に清掃動作を行う場合、１サイクル中に清掃具を移動手すりに押し当てる清掃が発生した場合には清掃具を新しい面に更新し、１サイクル中に乗客コンベアが稼動せず清掃具を移動手すりに押し当てる動作が発生しなかった場合には、清掃具を新しい面に更新しない」という構成を有したものである。
【０００７】
そして、特許文献４には、「乗客コンベアの移動手摺の清掃効果を高める。また、清掃期間を延長する」ことを目的としてなされた「乗客コンベアの移動手すり清掃装置」が提案されており、この移動手すり清掃装置では、「サイクル的に清掃動作を行う場合、１サイクル中の清掃具更新回数、更新量を設定する事で、移動手摺の汚れ状況により、１サイクル中の清掃具更新を複数回行い清掃効果を向上させる。また、１サイクルの清掃具の更新量を変更する事で、移動手摺の汚れ状況に応じた清掃期間を設定する」ように構成されている。
【特許文献１】特開平５−２４７８２号公報、図１、図２、要約
【特許文献２】特開平９−１３２３７６号公報、要約
【特許文献３】特開２００１−１９９６７０号公報、要約
【特許文献４】特開２００１−２６１２７８号公報、要約
【発明の開示】
【発明が解決しようとする課題】
【０００８】
以上の特許文献では、清掃の対象が、「エスカレーターの踏段」（特許文献２）あるいは「移動手摺」（特許文献１、３及び４）であり、エスカレータ２０を構成している踏板２１やベルト２３の清掃は行えると考えられるが、エスカレータ２０を構成している側壁２２の通路壁面２２ａについては清掃は行えない。
【０００９】
この側壁２２における通路壁面２２ａは、踏板２１上に乗っている利用者の身体が触れたり、利用者の荷物が触れたりして一番汚れ易い部分であり、しかも利用者の目に触れ易いものであるから、安全上は兎も角として常に清掃しなければならない部分である。この通路壁面２２ａの清掃は、清掃作業員が清掃布を手で持って行われているのが現状である。
【００１０】
これらの通路壁面２２ａの清掃は、通路壁面２２ａ自体の高さが足元から腰までしかないこと、各通路壁面２２ａは通常足元に向けて内側に傾斜していることから、清掃作業員が腰を屈めて行わなければならず、非常に苦痛を伴うものであり、作業時間も掛かるものとなっている。それだけでなく、利用者が居ればその清掃作業はできないから、清掃作業時間も限られることになって、エスカレータ２０の通路壁面２２ａの清掃作業は困難を極めているものである。
【００１１】
そこで、本発明者等は、エスカレータ２０を構成している側壁２２の通路壁面２２ａについての清掃を、作業者に負担を掛けずにしかも簡単に行うようにするにはどうしたらよいか、について種々検討を重ねてきた結果、本発明を完成したのである。
【００１２】
すなわち、本発明の目的とするところは、エスカレータ２０を構成している側壁２２の通路壁面２２ａの清掃を効率的に行え、しかも両通路壁面２２ａ間の寸法が異なったエスカレータ２０についても適用できる清掃装置１０を、簡単な構成によって提供することにある。
【課題を解決するための手段】
【００１３】
以上の課題を解決するために、まず、請求項１に係る発明の採った手段は、後述する最良形態の説明中で使用する符号を付して説明すると、
「エスカレータ２０を構成している踏板２１の両側に立ち上がっている側壁２２の通路壁面２２ａを清掃するための装置であって、
ハンドル１１ａを有した支持杆１１と、この支持杆１１の両端部に対して伸縮可能に設けた左右一対の伸縮杆１２と、これら各伸縮杆１２の先端に傾動自在に設けたモップ１３とにより構成したことを特徴とする清掃装置１０」
である。
【００１４】
すなわち、この請求項１に係る清掃装置１０は、エスカレータ２０を構成している踏板２１の両側に立ち上がっている側壁２２の通路壁面２２ａを清掃するための装置であるが、図１〜図３に示すように、ハンドル１１ａを有した支持杆１１と、この支持杆１１の両端部に対して伸縮可能に設けた左右一対の伸縮杆１２と、これら各伸縮杆１２の先端に傾動自在に設けたモップ１３とにより構成したものである。
【００１５】
この清掃装置１０は、図４及び図５に示すように、清掃作業員がそのハンドル１１ａを持って上昇または下降している踏板２１に乗り、両端にある各モップ１３を各通路壁面２２ａに当接させて使用するものである。このとき、清掃作業員は、両方のモップ１３が通路壁面２２ａに確実に当接していることを確認しながら、当該清掃装置１０を上下あるいは左右に動かすと、効果的な清掃が行える。
【００１６】
ここで、エスカレータ２０によっては、その各通路壁面２２ａ間の寸法が僅かに異なることがあるが、当該清掃装置１０では、ハンドル１１ａによって清掃作業員に持たれる支持杆１１の両端部に伸縮杆１２が伸縮可能に設けてあるから、両端にある各モップ１３間の寸法を、これから清掃するエスカレータ２０の通路壁面２２ａに応じた寸法に予め設定しておけばよい。
【００１７】
後述する最良の形態に係る清掃装置１０では、図１の図示右側に示した伸縮杆１２が支持杆１１に対して挿入自在に収納してあるから、両モップ１３間の寸法を両通路壁面２２ａ間のそれに応じたものとなるように、伸縮杆１２の抜き差しを行う。寸法調整が済めば、支持杆１１に形成してある長さ調整穴１１ｂと、これに対応する伸縮杆１２側の穴とにピンを挿入する等して、支持杆１１に対する伸縮杆１２の固定を行えばよいのである。後述する最良形態では、伸縮杆１２側にスプリングによって突出する突起を内蔵しておいて、この突起が長さ調整穴１１ｂに対向したとき当該長さ調整穴１１ｂ内に係合するようにしてある。
【００１８】
また、上述したように、エスカレータ２０の通路壁面２２ａは内側に向かって傾斜していることが多いから、両通路壁面２２ａ間の寸法といっても上部間と下部間とでは異なっているから、両モップ１３間の寸法を変えなければならない。しかしながら、当該清掃装置１０は、その支持杆１１をエスカレータ２０の進行方向に向かって直角にしなければならないものではないから、進行方向に対して少し傾斜させてやれば、両モップ１３間の寸法は簡単に変えられる。そして、このとき重要になるのが、各モップ１３を各伸縮杆１２の先端に傾動自在に設けたことである。
【００１９】
各モップ１３が、図２の左方部分に示した仮想線のように、伸縮杆１２の先端に対して傾動自在であれば、各モップ１３は、通路壁面２２ａの傾斜状態に応じて自由に傾斜し、その清掃面全体が通路壁面２２ａの表面に当接することになる。従って、通路壁面２２ａが傾斜していても、各モップ１３の清掃面全体が、各伸縮杆１２が支持杆１１に対して伸縮自在であり清掃装置１０全体の傾斜角度も自由に変えられることとも併せて、通路壁面２２ａの汚れ落としを確実に行えることになるのである。
【００２０】
従って、この請求項１に係る清掃装置１０は、エスカレータ２０を構成している側壁２２の通路壁面２２ａの清掃を効率的に行え、しかも両通路壁面２２ａ間の寸法が異なったエスカレータ２０についても適用できるものとなっているのである。
【００２１】
また、上記課題を解決するために、請求項２に係る発明の採った手段は、上記請求項１に記載の清掃装置１０について、
「伸縮杆１２の少なくともいずれか一方が、支持杆１１に対して弾発的に伸縮するようにしたこと」
である。
【００２２】
この請求項２に係る清掃装置１０では、伸縮杆１２の少なくともいずれか一方が、支持杆１１に対して弾発的に伸縮するようにしたものである。具体的には、図１中の点線にて示すように、図示左側の伸縮杆１２を支持杆１１に対して抜き差し可能に収納するとともに、支持杆１１と伸縮杆１２との間にスプリング１２ｂを介装するようにしたものである。勿論、伸縮杆１２が支持杆１１に対して伸縮することを自在にするために、伸縮杆１２側に設けた係合突起１２ａを、支持杆１１側に形成した案内スリット１１ｄに係合するようにしてあり、清掃作業時に、当該伸縮杆１２をスプリング１２ｂの弾発力に抗して支持杆１１に対して伸縮させるとともに、回転止めを行えるようにしている。
【００２３】
後述する最良形態の清掃装置１０では、伸縮杆１２の支持杆１１に対する伸縮自在にする手段として支持杆１１内のスプリング１２ｂを使用するようにしたが、圧力流体を使用した所謂ダンパを使用したり、他の手段を使用して実施してもよいものである。勿論、スプリング１２ｂについても、圧縮スプリングであっても、引っ張りスプリングであってもよいことは言うまでもない。
【００２４】
また、伸縮杆１２は、支持杆１１の両側に左右一対あるが、これらの少なくともいずれか一方であればよいことは言うまでもない。何故なら、両通路壁面２２ａ間の寸法はエスカレータ２０の上から下まで殆ど変わらないものであって、清掃装置１０全体の寸法変化はそれ程必要ではないから、一方の伸縮杆１２が支持杆１１に対して弾発的に伸縮するのであれば十分だからである。しかしながら、清掃作業を力のある人が行う場合に、エスカレータ２０の一回の昇降の間に清掃装置１０全体の大きな振り回しを何回も行えるようにするために、両方の伸縮杆１２の支持杆１１に対する伸縮を自在にしておくことも有効である。
【００２５】
以上のように構成したこの請求項２に係る清掃装置１０では、例えば、清掃装置１０全体を上下させたり、進行方向に対して左右に振り回したりしても、伸縮杆１２は支持杆１１に対して伸縮するから、結果的に各モップ１３はその全面が通路壁面２２ａの表面に当接した状態になり、拭き残しのない状態で清掃が行えることになるのである。
【００２６】
従って、この請求項２に係る清掃装置１０は、上記請求項１のそれと同様な機能を発揮する他、通路壁面２２ａに対してある程度動かしても、各モップ１３の全面を通路壁面２２ａ表面に確実に当接させ得るものとなっているのである。
【００２７】
さらに、上記課題を解決するために、請求項３に係る発明の採った手段は、上記請求項１または請求項２に記載の清掃装置１０について、
「各モップ１３を、各伸縮杆１２の先端に傾動自在に設けたモップ取付枠１４に脱着可能に取り付けたこと」
である。
【００２８】
すなわち、この請求項３の清掃装置１０は、各伸縮杆１２の先端にモップ取付枠１４を傾動自在に設けておき、このモップ取付枠１４にモップ１３を取り付けるようにしたものである。このようにしておけば、汚れたモップ１３の交換を、支持杆１１や伸縮杆１２とは全く関係なく行えるのである。
【００２９】
換言すれば、モップ１３を伸縮杆１２の先端に直接設けた場合には、汚れたモップ１３は伸縮杆１２とともに支持杆１１から外さなければならないが、この請求項３の清掃装置１０では、モップ１３のみを外すことができるから、清掃装置１０の言わば本体はそのまま使用して、モップ１３のみの交換を行えばよいのである。
【００３０】
後述する最良形態の清掃装置１０では、モップ取付枠１４は、図３に示すように、傾動軸１４ａによって伸縮杆１２の先端に傾動可能に取り付けられ、このモップ取付枠１４を構成している第１枠１４ｂ及び第２枠１４ｃによってモップ１３の取り付け及び取り外しが行えるようになっている。モップ取付枠１４は、まず、これを構成している第１枠１４ｂと第２枠１４ｃとをＵ字状に形成しておき、その開いた部分を一本の軸によって回動自在に連結したものであり、例えば、第１枠１４ｂの開いた部分の両先端をレバー１４ｄとすることにより、これらのレバー１４ｄを窄めることにより、第１枠１４ｂの第２枠１４ｃに対する連結を解除して、モップ１３の取り付けが行えるようにしてある。
【００３１】
従って、この請求項３の清掃装置１０は、上記請求項１または２のそれと同様な機能を発揮する他、モップ１３のみの交換を、他の支持杆１１や伸縮杆１２をそのままにして行えるものとなっているのである。
【発明の効果】
【００３２】
以上、詳述した通り、本発明においては、
「エスカレータ２０を構成している踏板２１の両側に立ち上がっている側壁２２の通路壁面２２ａを清掃するための装置であって、
ハンドル１１ａを有した支持杆１１と、この支持杆１１の両端部に対して伸縮可能に設けた左右一対の伸縮杆１２と、これら各伸縮杆１２の先端に傾動自在に設けたモップ１３とにより構成したこと」
にその構成上の主たる特徴があり、これにより、エスカレータ２０を構成している側壁２２の通路壁面２２ａの清掃を効率的に行え、しかも両通路壁面２２ａ間の寸法が異なったエスカレータ２０についても適用できる清掃装置１０を、簡単な構成によって提供することができるのである。
【発明を実施するための最良の形態】
【００３３】
次に、以上のように構成した各請求項に係る発明を、図面に示した最良の形態である清掃装置１０について説明するが、この最良形態の清掃装置１０は、上記各請求項に係る発明の全てを実質的に含むものである。
【００３４】
さて、図１には、本発明に係る清掃装置１０の正面図が、また図２には同平面図が示してあり、この清掃装置１０は、基本的には、ハンドル１１ａを有した支持杆１１と、この支持杆１１の両端部に対して伸縮可能に設けた左右一対の伸縮杆１２と、これら各伸縮杆１２の先端に傾動自在に設けたモップ１３とにより構成したものである。
【００３５】
支持杆１１及び各伸縮杆１２は、本最良形態ではアルミニウム製の丸パイプ材を使用しているが、「角パイプ材」を使用してもよい。角パイプ材の方が、支持杆１１に対する各伸縮杆１２の挿入を安定して行え、しかも両者間の回転止めを行えるからである。
【００３６】
支持杆１１には、図１に示したように、２本のハンドル１１ａが固定的に取り付けてあるが、これらのハンドル１１ａは、清掃作業者が手に持って作業を行うのに使用されるものである。つまり、各ハンドル１１ａは、モップ１３に触れることがなく清掃作業を行えるようにしているものである。
【００３７】
また、この支持杆１１には、図１に示したように、図示右側の複数の長さ調整穴１１ｂと、中央の一個の収納固定穴１１ｃと、図示左側端部の一個の案内スリット１１ｄとが形成してある。各長さ調整穴１１ｂは、これが形成柄してある側に挿入されてきた伸縮杆１２の端部の位置を固定するためのものであり、当然のことながらこれら各長さ調整穴１１ｂに対応する穴が伸縮杆１２の端部側に形成してある。そして、各長さ調整穴１１ｂと伸縮杆１２側の穴とを適宜位置で一致させてから、図示しないピン等を両者間に挿入することにより、伸縮杆１２の支持杆１１に対する挿入位置の固定を行い、結果として、清掃装置１０全体の長さ調整を行えるようにしたものである。
【００３８】
また、支持杆１１の中央に一個だけ形成した収納固定穴１１ｃは、本清掃装置１０を使用しない場合に、全体の長さをできるだけ短くして、倉庫等への収納をし易くするものである。つまり、支持杆１１に対して挿入されてくる伸縮杆１２を使用する場合は、前述した各長さ調整穴１１ｂによって使用に適した長さにするのであるが、この収納固定穴１１ｃは、伸縮杆１２を支持杆１１内に深く挿入して、つまり当該清掃装置１０全体の長さを短くした状態を固定するために使用されるものであり、短くした清掃装置１０の収納を倉庫内に収納し易くするためのものである。
【００３９】
さらに、支持杆１１に形成した案内スリット１１ｄは、図１及び図２の図示左側に示した伸縮杆１２を、回転止めを行いながら伸縮自在に支持杆１１内に挿入するために使用されるものであり、この案内スリット１１ｄに対しては、伸縮杆１２側の係合突起１２ａが、支持杆１１の軸方向に移動可能に係止されるものである。
【００４０】
各伸縮杆１２は、支持杆１１の両端部に対して収納可能でかつ抜き出し可能に挿入されるものであり、本最良形態の場合、その外端に傾動軸１４ａにてモップ取付枠１４を傾動可能に設けるようにしてある。また、図１の図示左側に示した伸縮杆１２については、その端部に設けた係合突起１２ａを支持杆１１側の案内スリット１１ｄに係合させてあることは、前述した通りである。
【００４１】
また、図１の図示左側に示した伸縮杆１２は、支持杆１１に対して弾発的に支持してあり、この弾発性は、支持杆１１内に収納されて当該伸縮杆１２の内単位係合しているスプリング１２ｂによって付与されている。勿論、図１の図示右側に示した伸縮杆１２についても、同様にスプリング１２ｂを使用して弾発的に実施するようにしてもよいものである。
【００４２】
各モップ１３は、エスカレータ２０を構成している側壁２２の各通路壁面２２ａの清掃が行えるものであれば何であってもよいものであり、本最良形態では、多数の紐を纏めたものを使用している。このモップ１３は、各伸縮杆１２の先端に直接取り付けるように実施してもよいが、本最良形態では、各伸縮杆１２の先端に傾動軸１４ａを介して傾動自在に取り付けたモップ取付枠１４に脱着自在に取り付けるようにしている。
【００４３】
モップ取付枠１４は、図３に示したように、Ｕ字状の第１枠１４ｂと第２枠１４ｃとを、その各開放側で一本の軸に折り畳みかつ展開可能に連結したものであり、展開時の固定は、両第１枠１４ｂと第２枠１４ｃとの接触面側に形成した突起とその係合を行う係合穴とによって行うようにしている。また、この展開時の固定状態を担保するために、本最良形態のモップ取付枠１４では、連結軸上に介装したスプリング１４ｅによって各開放端部を外側に押しつけるようにしてある。
【００４４】
一方、モップ取付枠１４を構成している第１枠１４ｂ及び第２枠１４ｃを折り畳むには、例えば、第１枠１４ｂの開放側先端に形成してある各レバー１４ｄを縮めることにより、上述した突起と係合穴との係合を解き、そのまま連結軸を中心にして折り畳めば、モップ１３の取り付け準備ができ、かつ小さくすることができる。
【図面の簡単な説明】
【００４５】
【図１】本発明に係る清掃装置の正面図である。
【図２】同清掃装置の平面図である。
【図３】同清掃装置を構成しているモップ取付枠の拡大正面図である。
【図４】同清掃装置をエスカレータの上端にて使用している状態を示す斜視図である。
【図５】同清掃装置の一方のモップの通路壁面に対する位置関係を示す拡大斜視図である。
【図６】従来の技術を示す拡大断面図である。
【図７】図６に示した従来装置がエスカレータのどの部分に設置されているかを示すエスカレータの側面図である。
【符号の説明】
【００４６】
１０    清掃装置
１１    支持杆
１１ａ  ハンドル
１１ｂ  長さ調整穴
１１ｃ  収納固定穴
１１ｄ  案内スリット
１２    伸縮杆
１２ａ  係合突起
１２ｂ  スプリング
１３    モップ
１４    モップ取付枠
１４ａ  傾動軸
１４ｂ  第１枠
１４ｃ  第２枠
１４ｄ  レバー
１４ｅ  スプリング
２０    エスカレータ
２１    踏板２１
２２    側壁
２２ａ  通路壁面
２３    ベルト
【図１】
2007182271.tif 000003
【図２】
2007182271.tif 000004
【図３】
2007182271.tif 000005
【図４】
2007182271.tif 000006
【図５】
2007182271.tif 000007
【図６】
2007182271.tif 000008
【図７】
2007182271.tif 000009